(57)【要約】  サンプル同期のための装置および方法であって、無線周波数フロントエンド（ＲＦＦＥ）から返信リンク（ＲＬ）タイムスタンプを受信することと、ナビゲーションおよびタイミングシステムからシステム時間秒を受信することと、ＲＬタイムスタンプおよびシステム時間秒に基づいて順方向リンク（ＦＬ）タイムスタンプを生成することと、ＦＬタイムスタンプおよびシステム時間秒を時間データ中に含めることとを備える、装置および方法を提供する。一態様では、本装置および方法は、利得情報およびゲート制御情報をメモリに保存することと、第１の所望のタイムスタンプおよび利得情報を無線周波数フロントエンド（ＲＦＦＥ）に送信すること、第２の所望のタイムスタンプおよびｔｘイネーブルコマンドを送信ゲート制御に送信すること、または第３の所望のタイムスタンプおよびｒｘイネーブルコマンドを受信ゲート制御に送信することのうちの１つまたは複数を実行することとを備えるＲＦ制御のために使用される。
2011511503.tif 000002
【特許請求の範囲】
【請求項１】
無線周波数フロントエンド（ＲＦＦＥ）から返信リンク（ＲＬ）タイムスタンプを受信することと、
ナビゲーションおよびタイミングシステムからシステム時間秒を受信することと、
前記ＲＬタイムスタンプおよび前記システム時間秒に基づいて順方向リンク（ＦＬ）タイムスタンプを生成することと、
前記ＦＬタイムスタンプおよび前記システム時間秒を時間データ中に含めることと、
を備える、サンプル同期のための方法。
【請求項２】
前記時間データをサンプルストリーム中に多重化することをさらに備える、請求項１の方法。
【請求項３】
前記サンプルストリームを送信することをさらに備える、請求項２の方法。
【請求項４】
前記ナビゲーションおよびタイミングシステムは、全地球航法衛星システム（ＧＮＳＳ）、ロシアのＧＬＯＮＡＳＳ（全地球航法衛星システム）、欧州連合のガリレオ測位システム、インド地方の航法衛星システム（ＩＲＮＳＳ）、または中国の北斗衛星航法及び測位システムのうちの１つである、請求項１の方法。
【請求項５】
前記ナビゲーションおよびタイミングシステムは全地球測位システム（ＧＰＳ）である、請求項１の方法。
【請求項６】
前記システム時間秒を前記全地球測位システムのＧＰＳ時刻に整合させることをさらに備える、請求項５の方法。
【請求項７】
タイムスタンプカウンタを前記システム時間秒に整合させることをさらに備える、請求項１の方法。
【請求項８】
前記ＦＬタイムスタンプは、１０ＭＨｚ帯域幅ＵＭＢ周波数分割複信（ＦＤＤ）モードで１０２４個のサンプルごとに書き込まれる、請求項１の方法。
【請求項９】
前記ＦＬタイムスタンプは、前記サンプルストリームによって表される前記現在の動作モードの情報をさらに含む、請求項２の方法。
【請求項１０】
利得情報およびゲート制御情報をメモリに保存することと、
ａ）第１の所望のタイムスタンプおよび前記利得情報を無線周波数フロントエンド（ＲＦＦＥ）に送信すること、
ｂ）第２の所望のタイムスタンプおよびｔｘコマンドを送信ゲート制御に送信すること、または
ｃ）第３の所望のタイムスタンプおよびｒｘイネーブルコマンドを受信ゲート制御に送信すること、
のうちの１つを実行することと、
を備える、ＲＦ制御のための方法。
【請求項１１】
前記利得情報およびゲート制御情報を受信することをさらに備える、請求項１０の方法。
【請求項１２】
前記送信ゲート制御および前記受信ゲート制御は前記無線周波数フロントエンド（ＲＦＦＥ）の一部である、請求項１０の方法。
【請求項１３】
ａ）前記第１の所望のタイムスタンプおよび前記利得情報を前記無線周波数フロントエンド（ＲＦＦＥ）に送信すること、
ｂ）前記第２の所望のタイムスタンプおよびｔｘイネーブルコマンドを前記送信ゲート制御に送信すること、または
ｃ）前記第３の所望のタイムスタンプおよびｒｘイネーブルコマンドを前記受信ゲート制御に送信すること、
のうち、まだ実行されていない２番目を実行することをさらに備える、請求項１０の方法。
【請求項１４】
ａ）前記第１の所望のタイムスタンプおよび前記利得情報を前記無線周波数フロントエンド（ＲＦＦＥ）に送信すること、
ｂ）前記第２の所望のタイムスタンプおよびｔｘイネーブルコマンドを前記送信ゲート制御に送信すること、または
ｃ）前記第３の所望のタイムスタンプおよびｒｘイネーブルコマンドを前記受信ゲート制御に送信すること、
のうち、まだ実行されていない最後を実行することをさらに備える、請求項１３の方法。
【請求項１５】
前記送信ゲート制御および前記受信ゲート制御は前記無線周波数フロントエンド（ＲＦＦＥ）の一部である、請求項１４の方法。
【請求項１６】
前記無線周波数フロントエンド（ＲＦＦＥ）の利得は、前記利得情報に基づいて所望の時刻の＋／−２μ秒以内に変化される、請求項１０の方法。
【請求項１７】
前記所望の時刻は、利得変化が生じる時刻である、請求項１６の方法。
【請求項１８】
第１の所望のタイムスタンプ、第２の所望のタイムスタンプ、第３の所望のタイムスタンプ、利得情報、ｔｘイネーブルコマンドまたはｒｘイネーブルコマンドのうちの少なくとも１つをサンプルストリーム中に多重化することをさらに備える、請求項１０の方法。
【請求項１９】
前記利得情報（ｒｘＧａｉｎ）は、
【数１】
2011511503.tif 000014
によって定義され、
Ｐｉｎは、アンテナポートにおける受信電力の推定値であり、Ｐｏｕｔは、
【数２】
2011511503.tif 000015
によって与えられ、
σ２は、前記サンプルストリームの平均２乗デジタル値である、請求項１８の方法。
【請求項２０】
前記利得情報（ｒｘＧａｉｎ）は、所望の利得を０．５ｄＢ段階で表す、請求項１９の方法。
【請求項２１】
無線周波数フロントエンド（ＲＦＦＥ）から返信リンク（ＲＬ）タイムスタンプを受信することと、
ナビゲーションおよびタイミングシステムからシステム時間秒を受信することと、
前記ＲＬタイムスタンプおよび前記システム時間秒に基づいて順方向リンク（ＦＬ）タイムスタンプを生成することと、
前記ＦＬタイムスタンプおよび前記システム時間秒を時間データ中に含めることと、
を行うように構成されたプロセッサおよび回路を備える、サンプル同期のためのセルサイトモデム（ＣＳＭ）。
【請求項２２】
前記プロセッサおよび回路は、前記時間データをサンプルストリーム中に多重化するようにさらに構成された、請求項２１のセルサイトモデム。
【請求項２３】
前記プロセッサおよび回路は、前記サンプルストリームを送信するようにさらに構成された、請求項２２のセルサイトモデム。
【請求項２４】
前記ナビゲーションおよびタイミングシステムは、全地球航法衛星システム（ＧＮＳＳ）、ロシアのＧＬＯＮＡＳＳ（全地球航法衛星システム）、欧州連合のガリレオ測位システム、インド地方の航法衛星システム（ＩＲＮＳＳ）、または中国の北斗衛星航法及び測位システムのうちの１つである、請求項２１のセルサイトモデム。
【請求項２５】
前記ナビゲーションおよびタイミングシステムは全地球測位システム（ＧＰＳ）である、請求項２１のセルサイトモデム。
【請求項２６】
前記プロセッサおよび回路は、前記システム時間秒を前記全地球測位システムのＧＰＳ時刻に整合させるようにさらに構成された、請求項２５のセルサイトモデム。
【請求項２７】
前記プロセッサおよび回路は、タイムスタンプカウンタを前記システム時間秒に整合させるようにさらに構成された、請求項２１のセルサイトモデム。
【請求項２８】
前記ＦＬタイムスタンプは、１０ＭＨｚ帯域幅ＵＭＢ周波数分割複信（ＦＤＤ）モードで１０２４個のサンプルごとに書き込まれる、請求項２１のセルサイトモデム。
【請求項２９】
前記ＦＬタイムスタンプは、前記サンプルストリームによって表される前記現在の動作モードの情報をさらに含む、請求項２のセルサイトモデム。
【請求項３０】
利得情報およびゲート制御情報をメモリに保存することと、
ａ）第１の所望のタイムスタンプおよび前記利得情報を無線周波数フロントエンド（ＲＦＦＥ）に送信すること、
ｂ）第２の所望のタイムスタンプおよびｔｘイネーブルコマンドを送信ゲート制御に送信すること、または
ｃ）第３の所望のタイムスタンプおよびｒｘイネーブルコマンドを受信ゲート制御に送信すること、
のうちの１つを実行することと、
を行うように構成されたプロセッサおよび回路を備える、ＲＦ制御のためのセルサイトモデム（ＣＳＭ）。
【請求項３１】
前記プロセッサおよび回路は、前記利得情報およびゲート制御情報を受信するようにさらに構成された、請求項３０のセルサイトモデム。
【請求項３２】
前記送信ゲート制御および前記受信ゲート制御は前記無線周波数フロントエンド（ＲＦＦＥ）の一部である、請求項３０のセルサイトモデム。
【請求項３３】
前記プロセッサおよび回路は、
ａ）前記第１の所望のタイムスタンプおよび前記利得情報を前記無線周波数フロントエンド（ＲＦＦＥ）に送信すること、
ｂ）前記第２の所望のタイムスタンプおよびｔｘイネーブルコマンドを前記送信ゲート制御に送信すること、または
ｃ）前記第３の所望のタイムスタンプおよびｒｘイネーブルコマンドを前記受信ゲート制御に送信すること、
のうち、まだ実行されていない２番目を実行するようにさらに構成された、請求項３０のセルサイトモデム。
【請求項３４】
前記プロセッサおよび回路は、
ａ）前記第１の所望のタイムスタンプおよび前記利得情報を前記無線周波数フロントエンド（ＲＦＦＥ）に送信すること、
ｂ）前記第２の所望のタイムスタンプおよびｔｘイネーブルコマンドを前記送信ゲート制御に送信すること、または
ｃ）前記第３の所望のタイムスタンプおよびｒｘイネーブルコマンドを前記受信ゲート制御に送信すること、
のうち、まだ実行されていない最後を実行するようにさらに構成された、請求項３３のセルサイトモデム。
【請求項３５】
前記送信ゲート制御および前記受信ゲート制御は前記無線周波数フロントエンド（ＲＦＦＥ）の一部である、請求項３４のセルサイトモデム。
【請求項３６】
前記無線周波数フロントエンド（ＲＦＦＥ）の利得は、前記利得情報に基づいて所望の時刻の＋／−２μ秒以内に変化される、請求項３０のセルサイトモデム。
【請求項３７】
前記所望の時刻は、利得変化が生じる時刻である、請求項３６のセルサイトモデム。
【請求項３８】
前記プロセッサおよび回路は、第１の所望のタイムスタンプ、第２の所望のタイムスタンプ、第３の所望のタイムスタンプ、利得情報、ｔｘイネーブルコマンドまたはｒｘイネーブルコマンドのうちの少なくとも１つをサンプルストリーム中に多重化するようにさらに構成された、請求項３０のセルサイトモデム。
【請求項３９】
前記利得情報（ｒｘＧａｉｎ）は、
【数３】
2011511503.tif 000016
によって定義され、
Ｐｉｎは、アンテナポートにおける受信電力の推定値であり、Ｐｏｕｔは、
【数４】
2011511503.tif 000017
によって与えられ、
σ２は、前記サンプルストリームの平均２乗デジタル値である、請求項３８のセルサイトモデム。
【請求項４０】
前記利得情報（ｒｘＧａｉｎ）は、所望の利得を０．５ｄＢ段階で表す、請求項３９のセルサイトモデム。
【請求項４１】
無線周波数フロントエンド（ＲＦＦＥ）から返信リンク（ＲＬ）タイムスタンプを受信するための手段と、
ナビゲーションおよびタイミングシステムからシステム時間秒を受信するための手段と、
前記ＲＬタイムスタンプおよび前記システム時間秒に基づいて順方向リンク（ＦＬ）タイムスタンプを生成するための手段と、
前記ＦＬタイムスタンプおよび前記システム時間秒を時間データ中に含めるための手段と、
を備える、サンプル同期のためのデバイス。
【請求項４２】
前記時間データをサンプルストリーム中に多重化するための手段をさらに備える、請求項４１のデバイス。
【請求項４３】
前記サンプルストリームを送信するための手段をさらに備える、請求項４２のデバイス。
【請求項４４】
前記ナビゲーションおよびタイミングシステムは、全地球航法衛星システム（ＧＮＳＳ）、ロシアのＧＬＯＮＡＳＳ（全地球航法衛星システム）、欧州連合のガリレオ測位システム、インド地方の航法衛星システム（ＩＲＮＳＳ）、または中国の北斗衛星航法及び測位システムのうちの１つである、請求項４１のデバイス。
【請求項４５】
前記ナビゲーションおよびタイミングシステムは全地球測位システム（ＧＰＳ）である、請求項４１のデバイス。
【請求項４６】
前記システム時間秒を前記全地球測位システムのＧＰＳ時刻に整合させるための手段をさらに備える、請求項４５のデバイス。
【請求項４７】
タイムスタンプカウンタを前記システム時間秒に整合させるための手段をさらに備える、請求項４１のデバイス。
【請求項４８】
前記ＦＬタイムスタンプは、１０ＭＨｚ帯域幅ＵＭＢ周波数分割複信（ＦＤＤ）モードで１０２４個のサンプルごとに書き込まれる、請求項４１のデバイス。
【請求項４９】
前記ＦＬタイムスタンプは、前記サンプルストリームによって表される前記現在の動作モードの情報をさらに含む、請求項４２のデバイス。
【請求項５０】
利得情報およびゲート制御情報をメモリに保存するための手段と、
ａ）第１の所望のタイムスタンプおよび前記利得情報を無線周波数フロントエンド（ＲＦＦＥ）に送信すること、
ｂ）第２の所望のタイムスタンプおよびｔｘＥｎａｂｌｅコマンドを送信ゲート制御に送信すること、または
ｃ）第３の所望のタイムスタンプおよびｒｘＥｎａｂｌｅコマンドを受信ゲート制御に送信すること、
のうちの１つまたは複数を実行するための手段と、
を備える、ＲＦ制御のためのデバイス。
【請求項５１】
前記利得情報およびゲート制御情報を受信するための手段をさらに備える、請求項５０のデバイス。
【請求項５２】
前記送信ゲート制御および前記受信ゲート制御は前記無線周波数フロントエンド（ＲＦＦＥ）の一部である、請求項５０のデバイス。
【請求項５３】
ａ）前記第１の所望のタイムスタンプおよび前記利得情報を前記無線周波数フロントエンド（ＲＦＦＥ）に送信すること、
ｂ）前記第２の所望のタイムスタンプおよびｔｘイネーブルコマンドを前記送信ゲート制御に送信すること、または
ｃ）前記第３の所望のタイムスタンプおよびｒｘイネーブルコマンドを前記受信ゲート制御に送信すること、
のうち、まだ実行されていない２番目を実行するための手段をさらに備える、請求項５０のデバイス。
【請求項５４】
ａ）前記第１の所望のタイムスタンプおよび前記利得情報を前記無線周波数フロントエンド（ＲＦＦＥ）に送信すること、
ｂ）前記第２の所望のタイムスタンプおよびｔｘイネーブルコマンドを前記送信ゲート制御に送信すること、または
ｃ）前記第３の所望のタイムスタンプおよびｒｘイネーブルコマンドを前記受信ゲート制御に送信すること、
のうち、まだ実行されていない最後を実行するための手段をさらに備える、請求項５３のデバイス。
【請求項５５】
前記送信ゲート制御および前記受信ゲート制御は前記無線周波数フロントエンド（ＲＦＦＥ）の一部である、請求項５４のデバイス。
【請求項５６】
前記無線周波数フロントエンド（ＲＦＦＥ）の利得は、前記利得情報に基づいて所望の時刻の＋／−２μ秒以内に変化される、請求項５０のデバイス。
【請求項５７】
前記所望の時刻は、利得変化が生じる時刻である、請求項５６のデバイス。
【請求項５８】
第１の所望のタイムスタンプ、第２の所望のタイムスタンプ、第３の所望のタイムスタンプ、利得情報、ｔｘイネーブルコマンドまたはｒｘイネーブルコマンドのうちの少なくとも１つをサンプルストリーム中に多重化するための手段をさらに備える、請求項５０のデバイス。
【請求項５９】
前記利得情報（ｒｘＧａｉｎ）は、
【数５】
2011511503.tif 000018
によって定義され、
Ｐｉｎは、アンテナポートにおける受信電力の推定値であり、Ｐｏｕｔは、
【数６】
2011511503.tif 000019
によって与えられ、
σ２は、前記サンプルストリームの平均２乗デジタル値である、請求項５８のデバイス。
【請求項６０】
前記利得情報（ｒｘＧａｉｎ）は、所望の利得を０．５ｄＢ段階で表す、請求項５９のデバイス。
【請求項６１】
無線周波数フロントエンド（ＲＦＦＥ）から返信リンク（ＲＬ）タイムスタンプを受信するためのプログラムコードと、
ナビゲーションおよびタイミングシステムからシステム時間秒を受信するためのプログラムコードと、
前記ＲＬタイムスタンプおよび前記システム時間秒に基づいて順方向リンク（ＦＬ）タイムスタンプを生成するためのプログラムコードと、
前記ＦＬタイムスタンプおよび前記システム時間秒を時間データ中に含めるためのプログラムコードと、
を備える、プログラムコードを保存したコンピュータ可読媒体。
【請求項６２】
前記時間データをサンプルストリーム中に多重化するためのプログラムコードをさらに備える、請求項６１のコンピュータ可読媒体。
【請求項６３】
前記サンプルストリームを送信するためのプログラムコードをさらに備える、請求項６２のコンピュータ可読媒体。
【請求項６４】
前記ナビゲーションおよびタイミングシステムは、全地球航法衛星システム（ＧＮＳＳ）、ロシアのＧＬＯＮＡＳＳ（全地球航法衛星システム）、欧州連合のガリレオ測位システム、インド地方の航法衛星システム（ＩＲＮＳＳ）、または中国の北斗衛星航法及び測位システムのうちの１つである、請求項６１のコンピュータ可読媒体。
【請求項６５】
前記ナビゲーションおよびタイミングシステムは全地球測位システム（ＧＰＳ）である、請求項６１のコンピュータ可読媒体。
【請求項６６】
前記システム時間秒を前記全地球測位システムのＧＰＳ時刻に整合させるためのプログラムコードをさらに備える、請求項６５のコンピュータ可読媒体。
【請求項６７】
タイムスタンプカウンタを前記システム時間秒に整合させるためのプログラムコードをさらに備える、請求項６１のコンピュータ可読媒体。
【請求項６８】
前記ＦＬタイムスタンプは、１０ＭＨｚ帯域幅ＵＭＢ周波数分割複信（ＦＤＤ）モードで１０２４個のサンプルごとに書き込まれる、請求項６１のコンピュータ可読媒体。
【請求項６９】
前記ＦＬタイムスタンプは、前記サンプルストリームによって表される前記現在の動作モードの情報をさらに含む、請求項６２のコンピュータ可読媒体。
【請求項７０】
利得情報およびゲート制御情報をメモリに保存するためのプログラムコードと、
ａ）第１の所望のタイムスタンプおよび前記利得情報を無線周波数フロントエンド（ＲＦＦＥ）に送信すること、
ｂ）第２の所望のタイムスタンプおよびｔｘイネーブルコマンドを送信ゲート制御に送信すること、または
ｃ）第３の所望のタイムスタンプおよびｒｘイネーブルコマンドを受信ゲート制御に送信すること、
のうちの１つまたは複数を実行するためのプログラムコードと、
を備える、プログラムコードを保存したコンピュータ可読媒体。
【請求項７１】
前記利得情報およびゲート制御情報を受信するためのプログラムコードをさらに備える、請求項７０のコンピュータ可読媒体。
【請求項７２】
前記送信ゲート制御および前記受信ゲート制御は前記無線周波数フロントエンド（ＲＦＦＥ）の一部である、請求項７０のコンピュータ可読媒体。
【請求項７３】
ａ）前記第１の所望のタイムスタンプおよび前記利得情報を前記無線周波数フロントエンド（ＲＦＦＥ）に送信すること、
ｂ）前記第２の所望のタイムスタンプおよびｔｘイネーブルコマンドを前記送信ゲート制御に送信すること、または
ｃ）前記第３の所望のタイムスタンプおよびｒｘイネーブルコマンドを前記受信ゲート制御に送信すること、
のうち、まだ実行されていない２番目を実行するためのプログラムコードをさらに備える、請求項７０のコンピュータ可読媒体。
【請求項７４】
ａ）前記第１の所望のタイムスタンプおよび前記利得情報を前記無線周波数フロントエンド（ＲＦＦＥ）に送信すること、
ｂ）前記第２の所望のタイムスタンプおよびｔｘイネーブルコマンドを前記送信ゲート制御に送信すること、または
ｃ）前記第３の所望のタイムスタンプおよびｒｘイネーブルコマンドを前記受信ゲート制御に送信すること、
のうち、まだ実行されていない最後を実行するためのプログラムコードをさらに備える、請求項７３のコンピュータ可読媒体。
【請求項７５】
前記送信ゲート制御および前記受信ゲート制御は前記無線周波数フロントエンド（ＲＦＦＥ）の一部である、請求項７４のコンピュータ可読媒体。
【請求項７６】
前記無線周波数フロントエンド（ＲＦＦＥ）の利得は、前記利得情報に基づいて所望の時刻の＋／−２μ秒以内に変化される、請求項７０のコンピュータ可読媒体。
【請求項７７】
前記所望の時刻は、利得変化が生じる時刻である、請求項７６のコンピュータ可読媒体。
【請求項７８】
第１の所望のタイムスタンプ、第２の所望のタイムスタンプ、第３の所望のタイムスタンプ、利得情報、ｔｘイネーブルコマンドまたはｒｘイネーブルコマンドのうちの少なくとも１つをサンプルストリーム中に多重化するためのプログラムコードをさらに備える、請求項７０のコンピュータ可読媒体。
【請求項７９】
前記利得情報（ｒｘＧａｉｎ）は、
【数７】
2011511503.tif 000020
によって定義され、
Ｐｉｎは、アンテナポートにおける受信電力の推定値であり、Ｐｏｕｔは、
【数８】
2011511503.tif 000021
によって与えられ、
σ２は、前記サンプルストリームの平均２乗デジタル値である、請求項７８のコンピュータ可読媒体。
【請求項８０】
前記利得情報（ｒｘＧａｉｎ）は、所望の利得を０．５ｄＢ段階で表す、請求項７９のコンピュータ可読媒体。
【発明の詳細な説明】
【技術分野】
【０００１】
この開示は、一般にセルサイトモデムに関する。より詳細には、本開示は、セルサイトモデムを使用したタイミング整合およびＲＦ制御に関する。
【背景技術】
【０００２】
米国特許法第１１９条における優先権の主張本特許出願は、本出願の譲受人に譲渡され、参照により本明細書に明白に組み込まれる、２００７年１２月２０日に出願された「UMB CSM Architecture」と題する仮出願第６１／０１５，６４２号の優先権を主張する。  
ワイヤレス通信システムは、音声、データなど様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  ＬＴＥシステム、および直交周波数分割多元接続（ＯＦＤＭＡ）システムがある。
【０００３】
概して、ワイヤレス多元接続通信システムは、複数のワイヤレス端末のための通信を同時にサポートすることができる。各端末は、順方向リンクおよび逆方向リンク（返信リンクまたはアップリンクとしても知られる）上での伝送によって１つまたは複数の基地局と通信する。順方向リンク（またはダウンリンク）は、基地局から端末への通信リンクを指し、逆方向リンク（返信リンクまたはアップリンクとしても知られる）は、端末から基地局への通信リンクを指す。この通信リンクは、１入力１出力、多入力１出力、または多入力多出力（ＭＩＭＯ）システムを介して確立できる。
【０００４】
ＭＩＭＯシステムは、データ送信用の複数（ＮＴ）個の送信アンテナおよび複数（ＮＲ）個の受信アンテナを使用する。ＮＴ個の送信アンテナおよびＮＲ個の受信アンテナによって形成されたＭＩＭＯチャネルは、空間チャネルとも呼ばれるＮＳ個の独立チャネルに分解でき、ここで、ＮＳ≦ｍｉｎ｛ＮＴ，ＮＲ｝である。ＮＳ個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。たとえば、ＭＩＭＯシステムは、時分割複信（ＴＤＤ）システムおよび周波数分割複信（ＦＤＤ）システムをサポートすることができる。ＴＤＤシステムでは、順方向および逆方向リンク伝送が同一周波数領域上で行われるので、相反定理により逆方向リンクチャネルからの順方向リンクチャネルの推定が可能である。これにより、複数のアンテナがアクセスポイントで利用可能なとき、アクセスポイントは順方向リンク上で送信ビームフォーミング利得を取り出すことが可能になる。
【０００５】
今日のブロードバンドワイヤレスシステムは、高レートデータ通信をサポートするために効率的で強力なハードウェア、たとえば特定用途向け集積回路（ＡＳＩＣ）を必要とし、また異なる制御チャネルをサポートするために高度にフレキシブルな装置を必要とする。データチャネルは通常、４位相偏移キーイング（ＱＰＳＫ）、直交振幅変調（ＱＡＭ）などの標準的な変調技法を使用する。しかしながら、様々なパイロットチャネルを含む制御チャネルは、特殊な処理を必要とする。制御チャネルは、本質的に低スループットであるが、高い信頼性を必要とする。したがって、制御チャネルは、特殊な変調方式、不規則で多様なトーン／直交周波数分割多重（ＯＦＤＭ）シンボルリソース割振り、チャネル固有ホッピング、および異なるチャネル間でのトーンリソースの再利用をしばしば使用する。さらに、ワイヤレス規格の発展の一部として、制御チャネルはしばしば時間とともに変更される。また、ウルトラモバイルブロードバンド（Ｕｌｔｒａ  Ｍｏｂｉｌｅ  Ｂｒｏａｄｂａｎｄ）（ＵＭＢ）およびロングタームエボリューション（Ｌｏｎｇ  Ｔｅｒｍ  Ｅｖｏｌｕｔｉｏｎ）（ＬＴＥ）などの異なる規格間の制御チャネルフォーマットはまったく異なり、多用性のためには、一方または他方に適合するシステムの柔軟性が必要とされる。
【発明の概要】
【０００６】
タイミング整合および／またはＲＦ制御のための装置および方法を開示する。一態様によれば、サンプル同期のための方法は、無線周波数フロントエンド（ＲＦＦＥ）から返信リンク（ＲＬ）タイムスタンプを受信することと、ナビゲーションおよびタイミングシステムからシステム時間秒を受信することと、ＲＬタイムスタンプおよびシステム時間秒に基づいて順方向リンク（ＦＬ）タイムスタンプを生成することと、ＦＬタイムスタンプおよびシステム時間秒を時間データ中に含めることとを備える。
【０００７】
別の態様によれば、ＲＦ制御のための方法は、利得情報およびゲート制御情報をメモリに保存することと、第１の所望のタイムスタンプおよび利得情報を無線周波数フロントエンド（ＲＦＦＥ）に送信すること、第２の所望のタイムスタンプおよびｔｘイネーブル（ｔｘＥｎａｂｌｅ）コマンドを送信ゲート制御に送信すること、または第３の所望のタイムスタンプおよびｒｘイネーブル（ｒｘＥｎａｂｌｅ）コマンドを受信ゲート制御に送信することのうちの１つまたは複数を実行することとを備える。
【０００８】
別の態様によれば、サンプル同期のためのセルサイトモデム（ＣＳＭ）は、無線周波数フロントエンド（ＲＦＦＥ）から返信リンク（ＲＬ）タイムスタンプを受信することと、ナビゲーションおよびタイミングシステムからシステム時間秒を受信することと、ＲＬタイムスタンプおよびシステム時間秒に基づいて順方向リンク（ＦＬ）タイムスタンプを生成することと、ＦＬタイムスタンプおよびシステム時間秒を時間データ中に含めることとを行うように構成されたプロセッサおよび回路を備える。
【０００９】
別の態様によれば、ＲＦ制御のためのセルサイトモデム（ＣＳＭ）は、利得情報およびゲート制御情報をメモリに保存することと、第１の所望のタイムスタンプおよび利得情報を無線周波数フロントエンド（ＲＦＦＥ）に送信すること、第２の所望のタイムスタンプおよびｔｘイネーブルコマンドを送信ゲート制御に送信すること、または第３の所望のタイムスタンプおよびｒｘイネーブルコマンドを受信ゲート制御に送信することのうちの１つまたは複数を実行することとを行うように構成されたプロセッサおよび回路を備える。
【００１０】
別の態様によれば、サンプル同期のためのデバイスは、無線周波数フロントエンド（ＲＦＦＥ）から返信リンク（ＲＬ）タイムスタンプを受信するための手段と、ナビゲーションおよびタイミングシステムからシステム時間秒を受信するための手段と、ＲＬタイムスタンプおよびシステム時間秒に基づいて順方向リンク（ＦＬ）タイムスタンプを生成するための手段と、ＦＬタイムスタンプおよびシステム時間秒を時間データ中に含めるための手段とを備える。
【００１１】
別の態様によれば、ＲＦ制御のためのデバイスは、利得情報およびゲート制御情報をメモリに保存するための手段と、第１の所望のタイムスタンプおよび利得情報を無線周波数フロントエンド（ＲＦＦＥ）に送信すること、第２の所望のタイムスタンプおよびｔｘイネーブルコマンドを送信ゲート制御に送信すること、または第３の所望のタイムスタンプおよびｒｘイネーブルコマンドを受信ゲート制御に送信することのうちの１つまたは複数を実行するための手段とを備える。
【００１２】
別の態様によれば、プログラムコードを保存したコンピュータ可読媒体は、無線周波数フロントエンド（ＲＦＦＥ）から返信リンク（ＲＬ）タイムスタンプを受信するためのプログラムコードと、ナビゲーションおよびタイミングシステムからシステム時間秒を受信するためのプログラムコードと、ＲＬタイムスタンプおよびシステム時間秒に基づいて順方向リンク（ＦＬ）タイムスタンプを生成するためのプログラムコードと、ＦＬタイムスタンプおよびシステム時間秒を時間データ中に含めるためのプログラムコードとを備える。
【００１３】
別の態様によれば、プログラムコードを保存したコンピュータ可読媒体は、利得情報およびゲート制御情報をメモリに保存するためのプログラムコードと、第１の所望のタイムスタンプおよび利得情報を無線周波数フロントエンド（ＲＦＦＥ）に送信すること、第２の所望のタイムスタンプおよびｔｘイネーブルコマンドを送信ゲート制御に送信すること、または第３の所望のタイムスタンプおよびｒｘイネーブルコマンドを受信ゲート制御に送信することのうちの１つまたは複数を実行するためのプログラムコードとを備える。
【００１４】
本開示の利点は、共通の直列インターフェースを使用して順方向リンクと逆方向リンク（返信リンクとしても知られる）との間でタイミング基準を整合させる能力と、同じ共通の直列インターフェースを使用してＲＦ制御機能を提供する能力とを含む。
【００１５】
様々な態様が例として図示され説明される以下の詳細な説明から、他の態様が当業者には容易に明らかになることを理解されたい。図面および詳細な説明は、本質的に例示的なものと見なされるべきであり、限定的なものと見なされるべきではない。
【図面の簡単な説明】
【００１６】
【図１】多元接続ワイヤレス通信システムの一例を示すブロック図。
【図２】ワイヤレスＭＩＭＯ通信システムの一例を示すブロック図。
【図３】いくつかのインターフェースをもつセルサイトモデム（ＣＳＭ）の論理アーキテクチャの一例。
【図４】すべてのＣＳＭ用に使用される１つの管理ホストの一例。
【図５】フェーズ１ウルトラモバイルブロードバンド（ＵＭＢ）アクセスポイント（ＡＰ）基準設計アーキテクチャの一例。
【図６】フェーズ２  ＵＭＢ  ＡＰ基準設計アーキテクチャの一例。
【図７】順方向リンク（ＦＬ）および返信リンク（ＲＬ）上でデータチャネルＭＡＣパケットを処理することに関与するキー要素の例。
【図８】ＣＳＭメッセージヘッダの一例。
【図９】トラフィックチャネル割当てメッセージフローの一例。
【図１０】順方向リンク（ＦＬ）データフローおよび暗号マスク生成の一例。
【図１１】返信リンク（ＲＬ）データフローおよび解読の一例。
【図１２】アクセスポイントの例示的なブロック図。
【図１３】ＦＬおよびＲＬサンプルインターフェースの例示的な図。
【図１４】サンプル同期の例示的なフロー図。
【図１５】サンプル同期に適したデバイスの一例。
【図１６】ＲＦ制御の例示的なフロー図。
【図１７】ＲＦ制御に適したデバイスの一例。
【図１８】サンプル同期および／またはＲＦ制御のためにメモリと通信するプロセッサを備えるデバイスの一例。
【発明を実施するための形態】
【００１７】
添付の図面とともに以下に示す詳細な説明は、本開示の様々な態様を説明するものであり、本開示を実施できる唯一の態様を表すものではない。本開示に記載の各態様は、本開示の例または図としてのみ提供されるものであり、必ずしも他の態様よりも好ましいまたは有利であると解釈されるべきではない。詳細な説明は、本開示の完全な理解を与える目的で具体的な詳細を含む。ただし、本開示はこれらの具体的な詳細なしに実施できることが当業者には明らかであろう。いくつかの例では、本開示の概念を不明瞭にしないように、よく知られている構造およびデバイスをブロック図の形式で示す。頭字語および他の記述的専門用語は、単に便宜のためにおよび明瞭にするためにのみ使用でき、本発明の範囲を限定するものではない。
【００１８】
説明を簡潔にする目的で、方法を一連の行為として図示し説明するが、いくつかの行為は、１つまたは複数の態様によれば、本明細書で図示し説明する順序とは異なる順序で、および／または他の行為と同時に行われるので、方法は行為の順序によって限定されないことを理解し、諒解されたい。たとえば、方法は、状態図など、一連の相互に関連する状態またはイベントとして代替的に表現できることを当業者ならば理解し、諒解するであろう。さらに、１つまたは複数の態様による方法を実施するために、図示のすべての行為が必要とされるわけではない。
【００１９】
本明細書で説明する技法は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、シングルキャリアＦＤＭＡ（ＳＣ−ＦＤＭＡ）システムなど、様々な無線通信システムに対して使用できる。「システム」および「ネットワーク」という用語は、しばしば互換的に使用される。ＣＤＭＡシステムは、ユニバーサル地上無線アクセス（ＵＴＲＡ）、ｃｄｍａ２０００などの無線技術を実装することができる。ＵＴＲＡは、ワイドバンドＣＤＭＡ（Ｗ−ＣＤＭＡ）および低チップレート（ＬＣＲ）を含む。Ｃｄｍａ２０００は、ＩＳ−２０００、ＩＳ−９５、およびＩＳ−８５６規格をカバーする。ＴＤＭＡシステムは、モバイル通信のためのグローバルシステム（ＧＳＭ）などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、ユニバーサル移動体通信システム（ＵＭＴＳ）の一部である。ロングタームエボリューション（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）という名称の組織からの文書に記載されている。cdma２０００は、「第３世代パートナーシッププロジェクト２」（３ＧＰＰ２）という名称の組織からの文書に記載されている。これらの様々な無線技術および無線規格は当技術分野において知られている。
【００２０】
さらに、シングルキャリア変調および周波数領域等化を利用するシングルキャリア周波数分割多元接続（ＳＣ−ＦＤＭＡ）は、別のワイヤレス通信技法である。ＳＣ−ＦＤＭＡシステムは、ＯＦＤＭＡシステムと同様の性能および同じ全体的な複雑さを有することができる。ＳＣ−ＦＤＭＡ信号は、それ特有のシングルキャリア構造のためにより低いピーク対平均電力比（ＰＡＰＲ）を有する。ＳＣ−ＦＤＭＡは特に、より低いＰＡＰＲが送信電力効率の点でモバイル端末に大幅な利益を与えるアップリンク通信において大きい注目を引いている。ＳＣ−ＦＤＭＡ技法の使用は現在、３ＧＰＰロングタームエボリューション（ＬＴＥ）またはＥｖｏｌｖｅｄ  ＵＴＲＡにおけるアップリンク多元接続方式に関する実用的な前提である。上記のワイヤレス通信技法および規格のすべては、本明細書で説明するデータ中心多重化アルゴリズムとともに使用できる。
【００２１】
図１は、多元接続ワイヤレス通信システムの一例を示すブロック図である。図１に示すように、アクセスポイント１００（ＡＰ）は、一方が１０４および１０６を含み、他方が１０８および１１０を含み、追加のグループが１１２および１１４を含む、複数のアンテナグループを含む。図１では、アンテナグループごとに２つのアンテナのみが示されているが、アンテナグループごとにより多いまたはより少ないアンテナが利用できる。アクセス端末１１６（ＡＴ）はアンテナ１１２および１１４と通信中であり、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信中であり、アンテナ１０６および１０８は、順方向リンク１２６上でアクセス端末１２２に情報を送信し、逆方向リンク１２４上でアクセス端末１２２から情報を受信する。ＦＤＤシステムでは、通信リンク１１８、１２０、１２４および１２６は、通信のための異なる周波数を使用することができる。たとえば、順方向リンク１２０は、逆方向リンク１１８によって使用される周波数とは異なる周波数を使用することができる。アンテナの各グループ、および／またはアンテナが通信するために設計された領域は、しばしば、アクセスポイントのセクタと呼ばれる。一例では、アクセスポイント１００によってカバーされる領域のアンテナグループはそれぞれ、セクタ内でアクセス端末に通信するように設計される。
【００２２】
順方向リンク１２０および１２６上の通信では、アクセスポイント１００の送信アンテナは、異なるアクセス端末１１６および１２４に対して順方向リンクの信号対雑音比を改善するためにビームフォーミングを利用する。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。アクセスポイントは固定局とすることができる。アクセスポイントは、当技術分野で知られているアクセスノード、基地局、または何らかの他の同様の用語で呼ばれることもある。アクセス端末は、当技術分野で知られているモバイル局、ユーザ機器（ＵＥ）、ワイヤレス通信デバイス、または何らかの他の同様の用語で呼ばれることもある。
【００２３】
図２は、ワイヤレスＭＩＭＯ通信システムの一例を示すブロック図である。図２は、ＭＩＭＯシステム２００におけるアクセスポイント２１０およびアクセス端末２５０を示している。アクセスポイント２１０では、いくつかのデータストリームのトラフィックデータがデータソース２１２から送信（ＴＸ）データプロセッサ２１４に供給される。一例では、各データストリームは、それぞれの送信アンテナを介して送信される。ＴＸデータプロセッサ２１４は、符号化データを与えるために、そのデータストリーム用に選択された特定の符号化方式に基づいて各データストリームのトラフィックデータをフォーマット化し、符号化し、インターリーブする。
【００２４】
各データストリームの符号化データは、ＯＦＤＭ技法を使用してパイロットデータと多重化される。パイロットデータは、一般に、知られている方法で処理される、知られているデータパターンであり、チャネル応答を推定するために受信機システムで使用される。次いで、各データストリームの多重化された符号化データとパイロットデータは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータ転送速度、符号化、および変調は、プロセッサ２３０によって実行される命令によって決定される。
【００２５】
次いで、すべてのデータストリームの変調シンボルは、さらに（たとえば、ＯＦＤＭの場合）その変調シンボルを処理するＴＸ  ＭＩＭＯプロセッサ２２０に供給される。次いで、ＴＸ  ＭＩＭＯプロセッサ２２０は、ＮＴ個の変調シンボルストリームをＮＴ個の送信機（ＴＭＴＲ）２２２ａ〜２２２ｔに供給する。一例では、ＴＸ  ＭＩＭＯプロセッサ２２０は、データストリームのシンボルと、シンボルが送信されているアンテナとにビームフォーミングウェート（beamforming weight）を適用する。各送信機２２２ａ〜２２２ｔは、それぞれのシンボルストリームを受信し、処理して、１つまたは複数のアナログ信号を生成し、さらに、それらのアナログ信号を調整（たとえば、増幅、フィルタ処理、およびアップコンバート）して、ＭＩＭＯチャネルを介して送信するのに適した変調信号を与える。次いで、送信機２２２ａ〜２２２ｔからのＮＴ個の変調信号は、それぞれ、ＮＴ個のアンテナ２２４ａ〜２２４ｔから送信される。
【００２６】
アクセス端末２５０では、送信された変調信号はＮＲ個のアンテナ２５２ａ〜２５２ｒによって受信され、各アンテナ２５２ａ〜２５２ｒから受信された信号は、それぞれの受信機（ＲＣＶＲ）２５４ａ〜２５４ｒに供給される。各受信機２５４ａ〜２５４ｒは、それぞれの受信信号を調整（たとえば、フィルタリング、増幅、およびダウンコンバート）し、この調整された信号をデジタル化して、サンプルを供給し、さらにそれらのサンプルを処理して、対応する「受信」シンボルストリームを供給する。
【００２７】
次いで、ＲＸデータプロセッサ２６０は、特定の受信機処理技法に基づいてＮＲ個の受信機２５４ａ〜２５４ｒからＮＲ個の受信シンボルストリームを受信し、処理して、ＮＴ個の「検出」シンボルストリームを与える。次いで、ＲＸデータプロセッサ２６０は、各検出シンボルストリームを復調し、デインターリーブし、復号して、データストリームに対するトラフィックデータを回復する。ＲＸデータプロセッサ２６０による処理は、アクセスポイント２１０においてＴＸ  ＭＩＭＯプロセッサ２２０およびＴＸデータプロセッサ２１４によって実行される処理を補足するものである。プロセッサ２７０は、どのプリコーディング行列（以下で論じる）を使用すべきかを定期的に判断する。プロセッサ２７０は、行列インデックス部とランク値部とを備える逆方向リンクメッセージを作成する。
【００２８】
逆方向リンクメッセージは、通信リンクおよび／または受信データストリームに関する様々な種類の情報を備えることができる。次いで、逆方向リンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、アクセスポイント２１０に戻される。
【００２９】
アクセスポイント２１０では、アクセス端末２５０からの変調信号は、アクセス端末２５０によって送信された逆方向リンクメッセージを抽出するために、アンテナ２２４ａ〜２２４ｔによって受信され、受信機２２２ａ〜２２２ｔによって調整され、復調器２４０によって復調され、ＲＸデータプロセッサ２４２によって処理される。次いで、プロセッサ２３０は、ビームフォーミングウェイトを決定するためにどのプリコーディング行列を使用すべきかを決定し、次いでプロセッサ２３０は、抽出されたメッセージを処理する。トランシーバ２２２ａ〜２２２ｔは、順方向リンクでは送信機と呼ばれ、逆方向リンクでは受信機と呼ばれることを当業者ならば理解されよう。同様に、トランシーバ２５４ａ〜２５４ｒは、順方向リンクでは受信機と呼ばれ、逆方向リンクでは送信機と呼ばれることを当業者ならば理解されよう。
【００３０】
一態様では、セルサイトモデム（ＣＳＭ）は、アクセスポイント２１０の変復調機能を実装する。特に、ＴＸデータプロセッサ２１４の変調器およびアクセスポイント２１０の復調器２４０は一体型ＣＳＭにおいて実装できる。図３は、いくつかのインターフェースをもつセルサイトモデム（ＣＳＭ）の論理アーキテクチャの一例を示す。ＣＳＭとの間で流れるすべての情報は、シリアルラピッドＩＯ（ｓＲＩＯ）インターフェースをわたって伝達される。たとえば、ｓＲＩＯインターフェースは、送信機および受信機のＲＦセクション、ＴＸデータプロセッサ２１４およびＲＸデータプロセッサ２４２中の媒体アクセス制御（ＭＡＣ）機能、ならびにプロセッサ２３０中の管理プレーンソフトウェアと通信するのに使用される。ＭＡＣ機能は、共通の送信リンクにおいて複数のユーザを調整するために使用される。情報は、直接メモリ書込み、ｓＲＩＯメッセージおよびドアベルを介してｓＲＩＯインターフェース上で交換される。一態様では、ドアベルは、短い８ビットまたは１６ビットのメッセージである。一例では、ＭＡＣホストおよび管理ホストは、論理エンティティであり、同じハードウェア要素上に配置できる。一例では、管理インターフェースは、ＣＳＭ起動およびプロビジョニング、セルフテスト、ハートビート、デバッグおよび診断ロギング、統計検索などのための機構を提供する。デバッグロギングは、実行中のシステム内で発生するイベントの動作ロギングを指す。これらはメッセージを介して報告され、プロトコルおよびエラーイベントを含む。診断ロギングは、システムのパフォーマンス特性を診断または監視するのに使用される。
【００３１】
ＭＡＣインターフェースは、ＣＳＭとＭＡＣホストとの間でＭＡＣとＰＨＹ情報を交換するために使用される。順方向リンク（ＦＬ）上では、ＭＡＣインターフェースは、たとえば、以下のチャネルのうちの１つまたは複数のエアリンクを介して送信されるべき情報ビットをＭＡＣホストがＣＳＭに指示することができるようにする。  
Ｆ−ＳＣＣＨ（順方向共有制御チャネル）  
Ｆ−ＡＣＫＣＨ（順方向肯定応答チャネル）  
Ｆ−ＳＰＣＨ（順方向パケット開始チャネル）  
Ｆ−ＰＱＩＣＨ（順方向パイロット品質インジケータチャネル）  
Ｆ−ＦＯＳＩＣＨ（順方向高速他セクタ干渉チャネル）  
Ｆ−ＩＯＴＣＨ（順方向対温度干渉チャネル）  
Ｆ−ＲＡＢＣＨ（順方向リバースアクティビティビットチャネル）  
Ｆ−ＤＣＨ（順方向データチャネル）  
Ｆ−ＰＢＣＣＨ（順方向一次ブロードキャスト制御チャネル）  
Ｆ−ＳＢＣＣＨ（順方向二次ブロードキャスト制御チャネル）
逆方向リンク（ＲＬ）上では、ＣＳＭは、たとえば、以下のチャネルのうちの１つまたは複数のエアリンクを介して受信されたビットをＭＡＣホストに与える。  
Ｒ−ＯＤＣＣＨ（逆方向ＯＦＤＭＡ専用制御チャネル）  
Ｒ−ＣＱＩＣＨ（逆方向チャネル品質インジケータチャネル）  
Ｒ−ＲＥＱＣＨ（逆方向要求チャネル）  
Ｒ−ＭＱＩＣＨ（逆方向ＭＩＭＯ品質インジケータチャネル）  
Ｒ−ＳＦＣＨ（逆方向サブバンドフィードバックチャネル）  
Ｒ−ＢＦＣＨ（逆方向ビームフィードバックチャネル）  
Ｒ−ＣＤＣＣＨ（逆方向ＣＤＭＡ専用制御チャネル）  
Ｒ−ＣＱＩＣＨ（逆方向チャネル品質インジケータチャネル）  
Ｒ−ＲＥＱＣＨ（逆方向要求チャネル）  
Ｒ−ＰＡＨＣＨ（逆方向電力増幅器ヘッドルームチャネル）  
Ｒ−ＰＳＤＣＨ（逆方向電力スペクトル密度チャネル）  
Ｒ−ＤＣＨ（逆方向データチャネル）
チャネル上で送信されるビットに加えて、ＭＡＣホストは、メッセージングインターフェースを使用して、電力制御、タイミング制御、および多重アンテナ技術用のＣＳＭ中の様々なアルゴリズムの動きを制御する。この情報がどのように搬送されるかの詳細は、下記のＲＦ制御インターフェース上のセクション中に記載される。
【００３２】
ＣＳＭ無線周波数（ＲＦ）インターフェースは、ＣＳＭとＲＦフロントエンドとの間で時間領域同相直交（ＩＱ）ベースバンドサンプルおよび制御メッセージを搬送するためのプロトコルを与える。またこのプロトコルは、ネットワークタイミング基準とのＣＳＭの同期を与える。
【００３３】
一態様では、アクセスポイントは、複数の送信／受信アンテナ、ＣＳＭ、ＭＡＣホスト、および管理ホストからなることができる。一例では、ＣＳＭは、最高４つの送信アンテナおよび４つの受信アンテナをサポートすることができる。ＣＳＭは、そのＣＳＭが関連付けられるべきアンテナのサブセットを用いて準備する必要がある。単一のＭＡＣホストは、複数のＣＳＭとインターフェースして、特定のＭＡＣチャネル上で複数のセクタキャリアをサポートできるようにすることができる。ＣＳＭは、関連するＭＡＣおよび管理ホストを用いて準備される。図４は、すべてのＣＳＭ用に使用される１つの管理ホストの一例を示す。
【００３４】
一例では、アクセスポイント基準設計アーキテクチャはＣＳＭを組み込む。基準設計では、Ｌａｙｅｒ２モジュール（Ｌ２Ｍ）がＭＡＣホストであり、制御プレーンモジュール（ＣＰＭ）が管理ホストである。図５は、Pフェーズ１ウルトラモバイルブロードバンド（ＵＭＢ）アクセスポイント（ＡＰ）基準設計アーキテクチャの一例を示す。この例では、ＣＳＭは、フェーズ１ＣＳＭ機能を一緒に実装する３つのフィールドゲートプログラマブルアレイ（ＦＰＧＡ）モデムモジュール（ＦＭＭ）を指す。
【００３５】
図６は、フェーズ２ＵＭＢ  ＡＰ基準設計アーキテクチャの一例を示す。ここでは、セルラモデムモジュール（ＣＭＭ）はＣＳＭを組み込み、基準設計は３つのセクタをサポートする。一態様では、ＣＳＭは、たとえば以下の機能のうちの１つまたは複数を実装する。  
ベースバンドＩＱサンプルを生成するためのＭＡＣチャネル符号化からの順方向リンク（ＦＬ）処理。  
ＭＡＣチャネルを復号するためのベースバンドＩＱサンプルからの返信リンク（逆方向リンクとしても知られる）（ＲＬ）処理。  
電力制御ループターゲットはＭＡＣホストによって調整されることができる。  
各アクセス端末（ＡＴ）のＲＬタイミング補正の推定。  
ハイブリッドＡＲＱ（Ｈ−ＡＲＱ（自動再送要求））はＣＳＭ内で終了させられる。  
多重アンテナ技術（ＭＩＭＯ（多入力多出力）、ＳＤＭＡ（空間分割多元接続）、およびＱＯＲＬ（準直交逆方向リンク））はＣＳＭにおいて実装されるが、ＭＡＣホストによって制御される。  
デバッギングおよび診断ロギング  
ＣＳＭプロビジョニングは、ＣＳＭ  ＡＰＩ（アプリケーションプログラミングインターフェース）のｇｅｔ／ｓｅｔコマンドを介して管理される。  
ＭＡＣホストソフトウェアは、たとえば、以下の機能のうちの１つまたは複数を受け持つ。  
ＦＬアクティブ待ち行列管理  
シグナリングプロトコルパケットの署名／認証  
ルート間トンネリングプロトコル  
無線リンクプロトコル（ＲＬＰ）…セグメント化および組立  
ストリームおよびルートプロトコル  
パケット統合プロトコル  
暗号化／解読サポート  
ＦＬおよびＲＬデータチャネルＭＡＣ  
オーバーヘッドメッセージ  
Ｒ−ＣＤＣＣＨ（逆方向ＣＤＭＡ専用制御チャネル）およびＲ−ＯＤＣＣＨ（逆方向ＯＦＤＭＡ専用制御チャネル）メッセージ処理  
タイミング補正を与えられたＣＳＭを使用するＲＬタイミング制御ループ  
ＦＬおよびＲＬリンク適応  
ＦＬおよびＲＬスケジューラ  
ページスケジューリング  
接続制御プレーン  
シグナリングプロトコル  
デバッグおよび診断ロギング
一例では、暗号化および解読は、ＣＳＭ中のハードウェアアクセラレータによって行われる。エンジンは、ｓＲＩＯインターフェースを介してＭＡＣホストによって制御される。図７は、順方向リンク（ＦＬ）および返信リンク（逆方向リンクとしても知られる）（ＲＬ）上でデータチャネルＭＡＣパケットを処理することに関与するキー要素の例を示す。ＭＡＣホストは、フロー単位で待ち行列中のＦＬ上位層データ受信パケットを外部メモリに保存する。ＦＬスケジューリングアルゴリズムに基づいて、ＭＡＣホストは、フローのサブセットから選択されたパケットをｓＲＩＯインターフェースを介してＣＳＭパケットメモリにコピーする。ＭＡＣホストはまた、ＣＳＭパケットメモリ中のパケット用の暗号化マスクビットを構築し、これらのマスクビットをＣＳＭパケットメモリに保存するように暗号化エンジンに命令する。ＭＡＣホストスケジューラは、これらのパケットのうちどの部分が特定の物理的レイヤフレーム中でＭＡＣパケットの形態でエアインターフェースを介して外に送信される必要があるかを判断し、これらのＭＡＣパケットをどのように構築すべきかをＣＳＭに指示するメッセージをＣＳＭに送信する。ＣＳＭは、パケットの対応するバイトを取り出し、暗号化マスクビットを用いて排他的ＯＲ演算を実行し、次いで残りのＣＳＭ送信機チェーンによって処理されるＭＡＣパケットを生成する。
【００３６】
ＲＬデータチャネル上でＭＡＣパケットを受信すると、ＣＳＭは、ＭＡＣパケットを処理し、ＭＡＣパケット中のすべてのＰＣＰ（パケット統合プロトコル）、ルート、ストリーム、およびＲＬＰヘッダをＭＡＣホストに転送する。ヘッダに基づいて、ＭＡＣホストは、ＭＡＣパケット中の各ＳＡＲ（セグメント化および再組立）ペイロードを解読し、その結果を適切なＭＡＣホストメモリ位置に書き込むように暗号化エンジンに指示する。ＭＡＣホストにおけるＲＬＰ処理は、ＳＡＲセグメントからのパケットを再組立する。
【００３７】
一例では、ＣＳＭ  ＡＰＩ（アプリケーションプログラミングインターフェース）は、ＣＳＭならびにＭＡＣおよび管理ホストの間のプロトコルと、その間をｓＲＩＯインターフェースを介して流れる関連メッセージとからなる。情報は、ｓＲＩＯインターフェースを介して、直接メモリ読取りおよび書込み、ｓＲＩＯメッセージ、ならびにドアベルによって交換される。たとえば、直接メモリアクセスでは、スタンダードラピッドＩＯ入出力トランザクションＮＲＥＡＤ、ＷＲＩＴＥ、ＮＷＲＩＴＥ、およびＮＷＲＩＴＥ＿Ｒが使用される。図８は、ＣＳＭメッセージヘッダの一例を示す。ＣＳＭ  ＡＰＩを介して流れるメッセージは、図８に示すＣＳＭメッセージヘッダを有する。表１に、ＣＳＭメッセージヘッダ中のフィールドの例を記載する。
【表１】
2011511503.tif 000003
【００３８】
一態様では、ＣＳＭは、たとえば、以下の機能のうちの１つまたは複数をもつ管理インターフェースを組み込む。  
起動  
組込みテスト  
ハートビート…メッセージは、システムタイムスタンプと、管理ホストを識別するｓＲＩＯデバイスＩＤとを搬送し、ログなどのメッセージはＣＳＭによって送信されなければならない。ＣＳＭからのハートビート応答の欠如は、ＣＳＭの障害と回復手順を開始する必要とを検出するために使用されることができる。  
プロビジョニングは、ＣＳＭの動作を設定するための様々なプロビジョニングパラメータ、たとえば、ＲＦフロントエンドおよびＭＡＣホストプロセッサのｓＲＩＯデバイスＩＤ、利用可能な送信／受信アンテナの数などを含む。  
統計  
ロギング…デバッグおよび診断  
一態様では、ＣＳＭは、たとえば、以下の機能のうちの１つまたは複数をもつＭＡＣインターフェースを組み込む。  
プリアンブルデータ…スーパーフレームの開始において送信される  
ＦＬＣＳ記述子…順方向リンク制御セグメント記述子  
ＦＬ  ＤＣＨ割当ておよびＭＡＣパケット記述子  
暗号マスク生成…ＦＬデータの暗号化用  
解読要求…ＲＬデータを解読するため  
ＦＬ  ＡｃｋおよびＲＬ割当て要求  
ＲＬ  ＡｃｋおよびＦＬ割当て要求  
Ｒ−ＤＣＨ  ＭＡＣヘッダ  
Ｒ−ＤＣＨ割当て  
Ｒ−ＣＤＣＣＨ…ＲＬ  ＣＤＭＡ制御チャネルＭＡＣメッセージおよびタイミング情報  
Ｒ−ＯＤＣＣＨ…ＲＬ  ＯＦＤＭＡ制御チャネルＭＡＣメッセージング  
ＡＴ管理…ＣＳＭからモバイルを追加および削除する。
【００３９】
図９は、トラフィックチャネル割当てメッセージフローの一例を示す。図１０は、順方向リンク（ＦＬ）データフローおよび暗号マスク生成の一例を示す。ならびに、図１１は、返信リンク（逆方向リンクとしても知られる）（ＲＬ）データフローおよび解読の一例を示す。
【００４０】
一態様では、ＣＳＭサンプルインターフェースは、ＣＳＭと無線周波数フロントエンド（ＲＦＦＥ）との間で時間領域ＩＱベースバンドサンプルを搬送するためのプロトコルを与える。またこのプロトコルは、ネットワークタイミング基準とのＣＳＭの同期、ならびにロバストな誤り／損失検出を与える。システムのグローバル同期は、全地球測位システム（ＧＰＳ）または何らかの他の機構を介してＲＦＦＥによって維持され、またはシステムは、単一の基地局に対してローカルであるシステム時間を用いて非同期モードで動作することができる。ＵＭＢ同期動作では、たとえば、エアリンクフレーム構造は、全般的に整合させられ、ＧＰＳ時刻の開始に後方参照される。ＲＦＦＥは、ＣＳＭが正確な同期を用いて基礎をなすフレーム構造を生成することができるように、ＣＳＭにシステム時間基準を与えなければならない。このシステム時間基準は、最終システム時間秒以降のサンプルのカウントである。サンプルカウントタイムスタンプは、アンテナで参照されたタイムスタンプ直後のサンプルの絶対時刻を表す。
【００４１】
図１２は、アクセスポイントの例示的なブロック図を示す。ＧＰＳ受信機はＧＰＳ時刻を、ＲＦＦＥに対してＣｈｉｐｘｌ６クロックおよび１秒パルスを生成する制御カードに入力する。ＲＦＦＥは、これらのクロックを使用してサンプルタイムスタンプを同期させ、ｓＲＩＯインターフェースを介してＣＳＭに送信する。一例では、ＵＳＢにおいて、フレーム構造は、基礎をなす物理レイヤ（ＰＨＹ）構造（時分割複信（ＴＤＤ）におけるサイクリックプレフィックス（ＣＰ）サイズおよびガードタイム）に応じて異なる反復率を有し、異なるスケールで秒と整合する。したがって、秒へのフレーム構造の整合は、たとえば７秒から２２１９秒までの期間の範囲に及ぶ。ＰＨＹパラメータまたはＧＰＳ時刻の詳細を理解する必要からＲＦＦＥを解放するために、ＲＦＦＥは、最終システム時間秒パルス以降のサンプル数のカウンタを提供することのみ必要とする。現在のＧＰＳまたはシステム時間秒は、コントローラからのメッセージングなど、ＣＳＭアプリケーションプログラミングインターフェース（ＡＰＩ）によって定義された別の機構を介してＣＳＭに供給される。現在のシステム時間秒およびシステム時間秒内のサンプルカウントの情報を用いて、ＣＳＭはシステムのフレーム同期を完全に得ることができる。
【００４２】
誤りロバスト性を維持するために、サンプルカウンタタイムスタンプは、固定間隔でＲＦＦＥへのおよびＲＦＦＥからのサンプルストリームを用いて多重化される。たとえば、タイムスタンプ間のサンプルセグメントサイズは、１０ＭＨｚ帯域幅ＵＭＢ周波数分割複信（ＦＤＤ）モードでは１０２４個のサンプルであり、５ＭＨｚ帯域幅ＵＭＢ  ＦＤＤモードでは５１２個のサンプルである。一態様では、ＣＳＭおよびＲＦＦＥは、シリアルラピッドＩＯ（ｓＲＩＯ）インターフェースを使用して順方向リンクおよび逆方向リンクのサンプル情報を渡す。ＲＦＦＥは、ＲＦＦＥによって起動されたｓＲＩＯ  ＳＷＲＩＴＥによって逆方向リンク（ＲＬ）データをＣＳＭに送信する。ＣＳＭは、ＣＳＭによって起動されたｓＲＩＯ  ＳＷＲＩＴＥによって順方向リンク（ＦＬ）データをＲＦＦＥに送信する。一例では、ｓＲＩＯインターフェースは以下の最低性能要件を有する。  
インターフェース上で６４ビットデータワードが使用される。  
最大回線速度（１０Ｇｂｐｓ）においてアンテナ当たり連続して少なくとも２つの最長ｓＲＩＯトランザクション（２５６バイト）が受け入れられる。  
書込みデバイスは、２つの最長ｓＲＩＯトランザクションによって表される平均時間未満内に同じアドレスポートに３つよりも多い最長ｓＲＩＯトランザクションを書き込まない。  
すべてのｓＲＩＯトランザクションが順序正しく送出される。  
ＲＦＦＥからのｓＲＩＯトランザクションが、一定の平均待ち時間およびジッタとともに一定の平均速度で生成される。  
任意のｓＲＩＯトランザクション上で生じる最大終端間ジッタは、＋６４／Ｓａｍｐｌｅ＿ｒａｔｅ未満である。ＦＬトランザクションは、ＲＬトランザクションから得られ、ＲＬトランザクション上でジッタを複製することができ、ジッタトレランスはＦＬトランザクションの２倍である。たとえば、１０ＭＨｚ帯域幅ＵＭＢ  ＦＤＤモードでは、ジッタトレランスは以下の通りである。  
ＲＬデータおよびタイムスタンプＳＷＲＩＴＥに対して＜＋６．５０μ秒。  
ＦＬデータおよびタイムスタンプＳＷＲＩＴＥに対して＜＋１３．０μ秒。  
ＩＱデータは、ｓＲＩＯパフォーマンスを最大にするために、すべての最長（２５６のバイト）トランザクションを使用して書き込まれる。
【００４３】
一態様では、ＣＳＭとアンテナとの間のＦＬとＲＬパスの両方における待ち時間が定量化される。この情報は、ＣＳＭに送信されるＲＬタイムスタンプを調整するために必要とされる。この調整は、ＣＳＭがＦＬデータを同期して整合させることを可能にする。この同期が確立される前は、有意味なＦＬデータは送出されることができない。
【００４４】
タイムスタンプ値は、アンテナにおけるサンプルの時間を表す。ＲＦＦＥは、タイムスタンプを適切にオフセットすることによって、アンテナとそのデジタルサンプリングとの間のいかなる待ち時間も計算しなければならない。ＣＳＭは、トランスポート待ち時間、最大ジッタ限界、およびＲＦＦＥ内の待ち時間を計算するためにＦＬタイムスタンプのプログラマブルアドバンスをサポートする。一例では、このアドバンスは２００μ秒未満である。
【００４５】
図１３は、ＦＬおよびＲＬサンプルインターフェースの例示的な図を示す。ＦＬとＲＬは両方とも１つのｓＲＩＯインターフェースによってＣＳＭに通信するが、簡単のために図１３では分離して示している。図１３の例は、受信アンテナからアナログデジタル変換器（ＡＤＣ）を通してＣＳＭまでの、およびＣＳＭからデジタルアナログ変換器（ＤＡＣ）を通して送信アンテナまでの全システム遅延が７５マイクロ秒に等しいことを示す。この例では、７５μ秒は、ＦＬデータがシステム時間秒に同期するようにアドバンスタイミングをプログラムするために使用されるＦＬとＲＬ上でのＣＳＭとアンテナとの間の全待ち時間を表す。
【００４６】
一態様では、ＣＳＭは、ＲＬからタイムスタンプを受信するとき、ＦＬ上のタイムスタンプ用にプログラムされたアドバンスタイミングを加える。これは、送信アンテナにおけるＦＬサンプルの正確な同期を可能にする。
【００４７】
一態様では、サンプルストリームフォーマットは、たとえば以下の特徴のうちの１つまたは複数を有する。  
タイムスタンプカウンタは、０カウントがタイムスタンプ値の１つとして送信されるように、システム時間秒に整合される。  
ストリームは、直後のサンプルのシステム時間を示すタイムスタンプを含む。タイムスタンプは一定頻度であることが予想されるので、タイムスタンプ間のサンプルの数はサンプルレートの関数である。たとえば、１０ＭＨｚ帯域幅ＵＭＢ  ＦＤＤモードでは、タイムスタンプは１０２４個のサンプルごとに書き込まれる。  
同期システム動作では、システム時間は、ＧＰＳ時刻であり、ＧＰＳ秒に整合される。  
タイムスタンプは、データのストリームによって表される現在の動作モードを含む。これは、整合性チェックのみのための静的構成である。誤り／損失検出は、タイムスタンプ間のサンプルのカウントと、タイムスタンプ間のタイミング測定とに基づいて実施される。
【００４８】
一態様では、表２は、サンプルカウントタイムスタンプフォーマットを示す。表３は、ＲＬのためのサンプルデータフォーマットを示す。表４は、ＦＬのためのサンプルデータフォーマットを示す。ならびに、表５はレジスタアドレッシングを示す。  
【表２】
2011511503.tif 000004
【表３】
2011511503.tif 000005
【表４】
2011511503.tif 000006
【表５】
2011511503.tif 000007
【００４９】
一態様では、ＲＦ制御インターフェースは、ＴＤＤモードにおける受信機利得ならびに送信および受信ゲーティングのリアルタイム制御を提供する。この制御インターフェースは、データを用いたコマンドを同期させるための機構を提供するので、リアルタイムと呼ばれる。一態様では、リアルタイム制御インターフェースは、シンセサイザおよびフィルタリング設定または送信電力制御などの静的構成に関しては意図されない。一態様では、リアルタイムインターフェースはまた、他で処理されるべき警報に関しては意図されない。利得制御とゲート制御の両方は、表６に示すメモリアドレスに対するＳＷＲＩＴＥ動作によって実行される。表７は、利得制御ストリームの例示的なフォーマットを示す。  
【表６】
2011511503.tif 000008
【表７】
2011511503.tif 000009
【００５０】
タイムスタンプフィールドは、利得変化が生じる所望の時刻を反映する。一例では、ＲＦＦＥが（利得情報ｒｘＧａｉｎに基づいて）利得を変化させる実時刻は、所望の時刻の＋／−２μ秒以内である。タイムスタンプの最上位ビット（ＭＳＢ）が設定されている場合、ＲＦＦＥはできるだけ早く利得変化を実施する。ＣＳＭは、所望の時刻の少なくとも１００μ秒以内に利得変化を出す。前の利得制御コマンドが効力を発する前に利得制御コマンドが出された場合、ＲＦＦＥはその前のコマンドを無視することができる。したがって、利得制御コマンドのためにバッファリングは必要とされない。所望の時刻において、ＲＦＦＥは、入力および出力電力が  
【数１】
2011511503.tif 000010
【００５１】
で表されるようにその全受信利得を調整する。Ｐｉｎは、ｄＢｍで表されるアンテナポートにおける受信電力のＲＦＦＥの推定値であり、Ｐｏｕｔは、  
【数２】
2011511503.tif 000011
【００５２】
によって与えられる。σ２は、ＩＱサンプルの平均２乗デジタル値である。したがって、ｒｘＧａｉｎは、アンテナとＣＳＭへ出力されるデジタルＲＦＦＥとの間の所望の利得を０．５ｄＢ段階で表す。一態様では、キャリブレーションは、帯域幅がシステム入力帯域幅をカバーする付加白色ガウス雑音（ＡＷＧＮ）信号を用いて行われる。これは、利得が通過帯域全体にわたる平均利得を反映することを確実にする。入力電力はＲＦＦＥ入力ではなくアンテナポートにおいて測定されるので、ＲＦＦＥは、ＬＮＡにおけるすべての外部利得およびケーブル損失を計算しなければならない。
【００５３】
ＲＦＦＥが利得を複数ステージで実現する場合、利得分解を決定することは、ＲＦＦＥに委ねられる。さらに、ＲＦＦＥは、様々な自動利得制御（ＡＧＣ）を内部的に実施することができる。たとえば、ＡＧＣは、チャネル外干渉による過負荷の防止のためにフィルタリングする前に何らかのＲＦ利得ステージ上で動作することができる。しかしながら、一態様では、ＲＦＦＥは、１つのステージ中で利得を変化させる場合、アンテナからＣＳＭまでの全利得を一定に保とうと試みる。ＲＦＦＥは、一定の利得を維持することができない場合、その状態および他の任意の関連情報をＣＳＭ報告する。
【００５４】
一例では、エラートレランスに関して、ＲＦＦＥは、異なる利得設定の間で＋／−０．５ｄＢの相対精度をもつ平均利得に適合させる。エラートレランスは、通過帯域全体にわたる平均利得を指す。このインターフェースは、ｒｘＧａｉｎ値のいかなる絶対精度も規定しない。他のパラメータ、たとえば、名目絶対利得値および妥当な利得設定の範囲などは、このインターフェースでも指定されず、何らかの他の静的構成を介してＣＳＭに通信される必要がある。別の態様では、ＴｘおよびＲｘゲートコマンドのフォーマットが表８および表９それぞれに示される。
【表８】
2011511503.tif 000012
【表９】
2011511503.tif 000013
【００５５】
Ｒｘ利得制御コマンドの場合と同様に、タイムスタンプフィールドは、所望のコマンドが効力を発する時刻を反映する。一例では、ＲＦＦＥがコマンドを実施する実時刻は、所望の時刻の＋／−１μ秒以内である。タイムスタンプの最上位ビット（ＭＳＢ）が設定されている場合、ＲＦＦＥはできるだけ早くコマンドを実施する。一例では、ＣＳＭは、所望の時刻の最低で１００μ秒、最高でも１０ｍ秒以内にコマンドを出す。また、任意の２つのＲｘゲート制御コマンドのタイムスタンプは、少なくとも１００μ秒だけ隔てられた時刻に対応する。したがって、コマンドは、多くても１０ｍ秒前には出されることができるので、ＲＦＦＥは、せいぜい１００個のコマンドをバッファする必要がある。
【００５６】
Ｔｘゲートコマンドにおいて、ｔｘイネーブルビットの「１」の値は、Ｔｘが使用可能であることを示す。すなわち、所望のタイムスタンプの後のサンプルに対応するデータは、アンテナから送信される。反対に、「０」の値は、サンプルが送信されないことを示す。Ｔｘパスが複数ステージ中で実装される場合、それらのステージの制御の順序およびタイミングが確立される。同様に、Ｒｘゲートコマンドにおいて、ｒｘイネーブルビットは、Ｒｘパスを使用可能または使用不能にするために設定されるかまたは設定されない。Ｒｘパスが複数ステージ中で実装される場合、それらのステージの制御の順序およびタイミングが確立される。タイムスタンプおよびデータパケットは、ＴｘまたはＲｘデータパスが使用可能かどうかとは無関係に送信される。
【００５７】
図１４は、サンプル同期の例示的なフロー図を示す。ブロック１４１０において、無線周波数フロントエンド（ＲＦＦＥ）から返信リンク（逆方向リンクとしても知られる）（ＲＬ）タイムスタンプを受信する。ブロック１４２０において、ナビゲーションおよびタイミングシステムからシステム時間秒を受信する。一例では、ナビゲーションおよびタイミングシステムは、全地球航法衛星システム（Global Navigation Satellite System）（ＧＮＳＳ）、全地球測位システム（ＧＰＳ）、ロシアのＧＬＯＮＡＳＳ（全地球航法衛星システム（Global Navigation Satellite System））、欧州連合のガリレオ測位システム（European Union’s Galileo positioning system）、インド地方の航法衛星システム（Indian Regional Navigational Satellite System(ＩＲＮＳＳ)、中国の北斗衛星航法及び測位システム（China’s Beidou Satellite Navigation and Positioning System）などのうちの１つである。ブロック１４１０のステップはブロック１４２０のステップの前に発生するように示されているが、ブロック１４１０とブロック１４２０のステップは、本開示の範囲および趣旨に影響を及ぼすことなく時間順において交換し、または同時に発生することができることを当業者ならば理解されよう。
【００５８】
ブロック１４２０に続いて、ブロック１４３０において、ＲＬタイムスタンプおよびシステム時間秒に基づいて順方向リンク（ＦＬ）タイムスタンプを生成する。一態様では、ＦＬタイムスタンプは、ＲＬタイムスタンプおよびシステム時間秒に基づいて調整される。ブロック１４３０に続いて、ブロック１４４０において、ＦＬタイムスタンプおよびシステム時間秒を時間データ中に含める。ブロック１４４０に続いて、ブロック１４５０において、時間データをサンプルストリーム中に多重化する。一態様では、ＲＬタイムスタンプとシステム時間秒とを受信するエンティティは、セルサイトモデム（ＣＳＭ）である。一例では、ＣＳＭは図１２に示すアクセスポイントブロック図の一部である。
【００５９】
図１５は、サンプル同期に適したデバイス１５００の一例を示す。一態様では、デバイス１５００は、本明細書のブロック１５１０、１５２０、１５３０、１５４０、および１５５０において説明するようにサンプル同期の異なる態様を与えるように構成された１つまたは複数のモジュールを備える少なくとも１つのプロセッサによって実装される。たとえば、各モジュールはハードウェア、ファームウェア、ソフトウェア、またはそれらの任意の組合せを備える。一態様では、デバイス１５００は、少なくとも１つのプロセッサと通信する少なくとも１つのメモリによっても実装される。
【００６０】
図１６は、ＲＦ制御の例示的なフロー図を示す。ブロック１６１０において、利得情報およびゲート制御情報を受信する。ブロック１６２０において、利得情報およびゲート制御情報をメモリに保存する。一態様では、ブロック１６２０のステップにおいて表６に示したパラメータが使用される。ブロック１６２０に続いて、ブロック１６３０において、第１の所望のタイムスタンプおよび利得情報を無線周波数フロントエンド（ＲＦＦＥ）に送信する。一態様では、第１の所望のタイムスタンプは、利得変化が生じる所望の時刻を反映する。一例では、ブロック１６３０のステップにおいて表７に示したパラメータが使用される。一態様では、利得は、ＲＦＦＥによってその利得設定を調整するために使用される。
【００６１】
ブロック１６３０に続いて、ブロック１６４０において、第２の所望のタイムスタンプおよびｔｘイネーブルコマンドを送信ゲート制御に送信する。第２の所望のタイムスタンプは、ｔｘイネーブルコマンドが効力を発する所望の時刻を反映する。実行されると、ｔｘイネーブルコマンドは送信（ｔｘ）パスを使用可能にする。一例では、ブロック１６４０のステップにおいて表８に示したパラメータが使用される。一例では、送信ゲート制御はＲＦＦＥの構成要素である。
【００６２】
ブロック１６４０に続いて、ブロック１６５０において、第３の所望のタイムスタンプおよびｒｘイネーブルコマンドを受信ゲート制御に送信する。第３の所望のタイムスタンプは、ｒｘイネーブルが効力を発する所望の時刻を反映する。実行されると、ｒｘイネーブルコマンドは受信（ｔｘ）パスを使用可能にする。一例では、ブロック１６５０のステップにおいて表９に示したパラメータが使用される。一例では、受信ゲート制御はＲＦＦＥの構成要素である。
【００６３】
一態様では、図１６の例示的なフロー図のステップを実行するエンティティは、セルサイトモデム（ＣＳＭ）である。一例では、ＣＳＭは図１２に示すアクセスポイントブロック図の一部である。一態様では、第１、第２、および第３の所望のタイムスタンプはそれぞれ独立して送信される。さらに、図１６の例示的なフロー図はブロック１６３０、１６４０および１６５０のステップの順次フローを示しているが、当業者は、本開示の範囲および趣旨に影響を及ぼすことなく異なる順序シーケンスが可能であると理解されようことを、当業者ならば理解されるだろう。同様に、第１、第２、および第３の所望のタイムスタンプの各々は、送信（ｔｘ）パスまたは受信（ｒｘ）パスが使用可能にされているかどうかにかかわらず他の２つなしに独立して送信できる。
【００６４】
図１７は、ＲＦ制御に適したデバイス１７００の一例を示す。一態様では、デバイス１７００は、本明細書のブロック１７１０、１７２０、１７３０、１７４０、および１７５０において説明するようにＲＦ制御の異なる態様を与えるように構成された１つまたは複数のモジュールを備える少なくとも１つのプロセッサによって実装される。たとえば、各モジュールはハードウェア、ファームウェア、ソフトウェア、またはそれらの任意の組合せを備える。一態様では、デバイス１７００は、少なくとも１つのプロセッサと通信する少なくとも１つのメモリによっても実装される。
【００６５】
図１４および図１６の例示的なフロー図に開示したステップは、本開示の範囲および趣旨から逸脱することなくそれらの順序を交換することができることを当業者ならば理解されよう。また、フロー図に示すステップは排他的なものではなく、本開示の範囲および趣旨に影響を及ぼすことなく他のステップを含めるかまたは例示的なフロー図のステップのうちの１つまたは複数を削除することができることを当業者ならば理解されよう。
【００６６】
さらに、本明細書で開示した例に関して説明した様々な例示的な構成要素、論理ブロック、モジュール、回路、および／またはアルゴリズムステップは、電子ハードウェア、ファームウェア、コンピュータソフトウェア、またはそれらの組合せとして実装できることを当業者ならば理解されよう。ハードウェア、ファームウェア、およびソフトウェアのこの互換性を明確に示すために、様々な例示的な構成要素、ブロック、モジュール、回路、および／またはアルゴリズムステップは、上記では概してそれらの機能に関して説明された。そのような機能がハードウェア、ファームウェア、またはソフトウェアとして実装されるか否かは、特定の適用例および全体的なシステムに課された設計制約に依存する。当業者は、説明した機能を特定の適用例ごとに様々な方法で実装することができるが、そのような実装の決定は、本開示の範囲または趣旨からの逸脱を生じると解釈すべきではない。
【００６７】
たとえば、ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装できる。ソフトウェアの場合、実施は、本明細書で説明した機能を実行するモジュール（たとえば、プロシージャ、関数など）を介することができる。ソフトウェアコードは、メモリユニットに保存され、プロセッサユニットによって実行されることができる。さらに、本明細書で説明した様々な例示的なフロー図、論理ブロック、モジュール、および／またはアルゴリズムステップは、当技術分野で知られている任意のコンピュータ可読媒体上に担持されるかまたは当技術分野で知られている任意のコンピュータプログラム製品に実装されたコンピュータ可読命令としてコード化されることもできる。
【００６８】
一例では、本明細書で説明した例示的な構成要素、フロー図、論理ブロック、モジュール、および／またはアルゴリズムステップは、１つまたは複数のプロセッサを用いて実装または実行される。一態様では、プロセッサは、本明細書で説明した様々なフロー図、論理ブロック、および／またはモジュールを実装または実行するために、プロセッサによって実行されるデータ、メタデータ、プログラム命令などを保存するメモリに結合される。図１８は、メモリ１８２０と通信するプロセッサ１８１０を備えるデバイス１８００の一例を示す。一例では、デバイス１８００は、図１４に示すアルゴリズムを実装するために使用される。一例では、デバイス１８００は、図１６に示すアルゴリズムを実装するために使用される。一態様では、メモリ１８２０はプロセッサ１８１０内に配置される。別の態様では、メモリ１８２０はプロセッサ１８１０の外部にある。一態様では、プロセッサは、本明細書で説明した様々なフロー図、論理ブロック、および／またはモジュールを実装または実行するための回路を含む。
【００６９】
開示した態様の前述の説明は、当業者が本開示を実施または使用できるようにするために与えられる。これらの態様への様々な変更は当業者にはすぐに明らかになり、本明細書で定義された包括的な原理は本開示の趣旨または範囲から逸脱することなく他の態様に適用できる。
【図１】
2011511503.tif 000022
【図２】
2011511503.tif 000023
【図３】
2011511503.tif 000024
【図４】
2011511503.tif 000025
【図５】
2011511503.tif 000026
【図６】
2011511503.tif 000027
【図７】
2011511503.tif 000028
【図８】
2011511503.tif 000029
【図９】
2011511503.tif 000030
【図１０】
2011511503.tif 000031
【図１１】
2011511503.tif 000032
【図１２】
2011511503.tif 000033
【図１３】
2011511503.tif 000034
【図１４】
2011511503.tif 000035
【図１５】
2011511503.tif 000036
【図１６】
2011511503.tif 000037
【図１７】
2011511503.tif 000038
【図１８】
2011511503.tif 000039
【国際調査報告】
2011511503.tif 000040
2011511503.tif 000041